(57)【要約】【課題】  筺体の取付構造において、製造コストを低減させ、取付けのための作業性を向上させる。【解決手段】  電子機器１のリアーケース２に嵌入される枠状に形成されたカバー１５は、リアーケース２の鍔４に係合する。四個の取付金具１７Ａ，１７Ｂがリアーケース２の背面板６の四隅に取り付けられることにより、対接板１９と鍔４とによってカバー１５が挟持される。電子機器１は、リアーケース２が壁２２の凹部２３に埋設された状態で、第１および第２のねじ挿通孔１５ａ，１９ａに挿通されたねじ１６を、壁２２のねじ孔２４に螺合させることにより壁に取り付けられる。【選択図】  図４
2008251911.tif 000002
【特許請求の範囲】
【請求項１】
第１のケースと第２のケースとからなる筺体の第１のケースを壁に設けた凹部に嵌入させた状態で筺体を壁に取り付ける筺体の取付構造であって、
前記第１のケースの開口端に設けた鍔に係合する枠状に形成されたカバーと、前記第１のケースの背面板に取り付けられ前記鍔と共に前記カバーを挟持する対接片が設けられた取付金具とを備え、前記取付金具の対接片と前記カバーとを壁に共締めしたことを特徴とする筺体の取付構造。
【請求項２】
前記筺体内にアンテナを設け、前記取付金具を筺体の四隅に取り付け、前記カバーをプラスチックによって形成したことを特徴とする請求項１記載の筺体の取付構造。
【発明の詳細な説明】
【技術分野】
【０００１】
本発明は、筺体の背面側を壁に設けた凹部に嵌入させた状態で筺体を壁に取り付ける筺体の取付構造に関するものである。
【背景技術】
【０００２】
従来の筺体の取付構造としては、対象が壁ではなく扉ではあるが、筺体の背面側が固定される金属製の本体をねじによって扉に取り付けることにより、筺体の背面側を扉の孔内に嵌入させ、次いでカバーを筺体の前面側から本体に取り付けることにより筺体を扉に取り付けるものがある（例えば、特許文献１参照）。
【特許文献１】特開２００３−１８８５５０号公報（段落〔００１９〕〜〔００２５〕、図１ないし図４）
【発明の開示】
【発明が解決しようとする課題】
【０００３】
上述した従来の筺体の取付構造においては、筺体が固定された本体を扉に取り付けるための手段とカバーを本体に取り付けるための手段とが個別に設けられているために、部品点数が増加するとともに構造も複雑になるため製造コストが嵩むという問題があった。また、金属で形成された本体が筺体の側部および背面部を覆うように形成されているために本体の重量が重くなり、筺体を扉または壁に取り付けるための作業性が悪いという問題もあった。
【０００４】
本発明は上記した従来の問題に鑑みなされたものであり、その目的とするところは、製造コストを低減し取付けのための作業性を向上させた筺体の取付構造を提供するところにある。
【課題を解決するための手段】
【０００５】
この目的を達成するために、請求項１に係る発明は、第１のケースと第２のケースとからなる筺体の第１のケースを壁に設けた凹部に嵌入させた状態で筺体を壁に取り付ける筺体の取付構造であって、前記第１のケースの開口端に設けた鍔に係合する枠状に形成されたカバーと、前記第１のケースの背面板に取り付けられ前記鍔と共に前記カバーを挟持する対接片が設けられた取付金具とを備え、前記取付金具の対接片と前記カバーとを壁に共締めしたものである。
【０００６】
請求項２に係る発明は、請求項１に係る発明において、前記筺体内にアンテナを設け、前記取付金具を筺体の四隅に取り付け、前記カバーをプラスチックによって形成したものである。
【発明の効果】
【０００７】
請求項１に係る発明によれば、取付金具を第１のケースに取り付けることにより、この取付金具と第１のケースの鍔とによってカバーが挟持されるため、カバーを取付金具に取り付ける手段が不要になるとともに、取付工数を削減することできるから製造コストを低減させることができる。また、取付金具とカバーとを壁に共締めすることにより、部品点数を削減することができるとともに、取付工数を削減することできるため全体としてのコストを低減させることができる。
【０００８】
請求項２に係る発明によれば、取付金具を筺体の外周全体に設けるのではなく、筺体の四隅に設けたことにより、取付金具全体の重量を軽くすることができるため、取付けのための作業性が向上する。また、取付金具を部分的に配設したことにより、金属製の取付金具による電波障害を最小限とすることができるとともに、カバーをプラスチックによって形成したことにより、カバーによる電波障害を取り除くことができる。
【発明を実施するための最良の形態】
【０００９】
以下、本発明の実施の形態を図に基づいて説明する。図１は本発明に係る筺体の取付構造において、筺体を壁に取り付けた状態を示す正面図、図２は同じく筺体を壁に取り付けた状態を示す背面図、図３は同じく正面側から視た分解斜視図、図４は同じく背面側から視た分解斜視図、図５は図１におけるV-V 線断面図である。
【００１０】
図５に全体を符号１で示す電子機器の筺体は、共に一面が開口した第１のケースとしてのリアーケース２と第２のケースとしてのフロントケース３とによって構成され、リアーケース２の開口端縁の全周には鍔４が設けられており、この鍔４にフロントケース３の開口端５が対接した状態で両ケース２，３を結合することにより形成される。
【００１１】
リアーケース２は、図４に示すように背面板６と、この背面板６を囲むように背面板６の周端から一体に立設された囲い壁７とによって箱状に形成されている。背面板６の四隅には、後述する取付金具１７Ａ，１７Ｂを取り付けるためのねじ孔８が各一対ずつ設けられている。９，９は背面板６に設けられた壁掛け用フック部であって、電子機器１は後述するように壁２２の凹部２３内に嵌入させた状態で壁２２に取り付けられるとともに、この壁掛け用フック部９を介して壁２２に掛けた状態でも取り付けることが可能になっている。
【００１２】
フロントケース３の前面部には、図１に示すようにマトリックス状に配設された多数個のダイヤル釦１０と多数個の操作釦１１とが設けられている。図５において、１２はスタッド１３を介してフロントケース３に取り付けられた制御基板、１４は電子機器１の外部との間で電波の授受を行うアンテナである。
【００１３】
図４において、１５はプラスチックによって扁平で枠状に形成されたカバーであって、四隅のそれぞれにはねじ１６が挿通される第１のねじ挿通孔１５ａが設けられており、上記したリアーケース２の囲い壁７に嵌入されることにより内周端縁が鍔４に係合する。
【００１４】
１７Ａ，１７Ｂは各一対ずつ設けられた金属製の取付金具であって、リアーケース２の背面板６の四隅にねじ２１によって取り付けられる取付片１８と、壁２２の表面に対接され上記したねじ１６によってカバー１５と共に壁２２に共締めされる対接片１９と、これら取付片１８と対接片１９とを連結する連結片２０とによって断面クランク状に一体に折り曲げ形成されている。
【００１５】
取付片１８には、ねじ２１が挿通される一対のねじ挿通孔１８ａ，１８ａが設けられており、対接片１９には、後述するように取付片１８がねじ２１によってリアーケース２の背面板６に取り付けられたとき、カバー１５の第１のねじ挿通孔１５ａと一致し、ねじ１６が挿通される第２のねじ挿通孔１９ａが設けられている。
【００１６】
図５において、２２は電子機器１が取り付けられる壁であって、電子機器１のリアーケース２が嵌入される凹部２３が設けられている。また、凹部２３の端縁には、リアーケース２を凹部２３に嵌入したとき、カバー１５の第１のねじ挿通孔１５ａと取付金具１７Ａ，１７Ｂの対接片２０の第２のねじ挿通孔２０ａとが一致するねじ孔２４が螺設されている。
【００１７】
次に、このように構成された筺体の取付構造において、電子機器１を壁２２に取り付ける取付方法について説明する。先ず、カバー１５を、図４に示すように電子機器１のリアーケース２の囲い壁７に嵌入させ、内周端縁を鍔５に係合させる。次いで、四個の取付金具１７Ａ，１７Ｂの取付片１８のねじ挿通孔１８ａに挿通させたねじ２１を、リアーケース２の背面板６のねじ孔８に螺合することにより、四個の取付金具１７Ａ，１７Ｂの取付片１８をリアーケース２の背面板９の四隅に取り付ける。取り付けられた取付金具１７Ａ，１７Ｂは、連結片２０がリアーケース２の囲い壁７に対接するとともに、対接片１９の第２のねじ挿通孔１９ａがカバー１５の第１のねじ挿通孔１５ａと一致するようにして対接片１９がカバー１５に対接し、カバー１５が鍔５と対接片１９とによって挟持される。
【００１８】
このようにして、カバー１５と取付金具１７Ａ，１７Ｂとが取り付けられた電子機器１のリアーケース２を、図５に示すように壁２２の凹部２３内に嵌入させ、取付金具１７Ａ，１７Ｂの対接片１９を壁２２の表面に対接させる。対接した対接片１９の第２のねじ挿通孔１９ａと、カバー１５の第１のねじ挿通孔１５ａとが、壁２２のねじ孔２４に一致するので、ねじ１６をこれら第１および第２のねじ挿通孔１５ａ，１９ａに挿通させ、ねじ孔２４に螺合することにより、カバー１５と取付金具１７Ａ，１７Ｂとが共締めされて電子機器１が壁２２に取り付けられる。このとき、ねじ１６が挿通されたカバー１５の第１のねじ挿通孔１５ａの端縁がわずかに弾性変形することにより、カバー１５がスプリングワッシャーとして機能する。
【００１９】
このように、取付金具１７Ａ，１７Ｂをリアーケース２の背面板９の四隅に取り付けることにより、この取付金具１７Ａ，１７Ｂの対接片１９と、リアーケース２の鍔４とによってカバー１５が挟持されるため、カバー１５を取付金具１７Ａ，１７Ｂに取り付けるための手段が不要になるともに、取付工数が削減されるから製造コストを低減させることができる。また、電子機器１を壁２２に取り付けるときに、ねじ１６によってカバー１５と取付金具１７Ａ，１７Ｂとを共締めするようにしたことにより、組付工数と部品点数を削減することができるため製造コストを低減することができる。
【００２０】
また、従来のように取付金具を筺体の外周全体に設けるのではなく、リアーケース２の背面板９の四隅に部分的に取り付けるようにしたことにより、取付金具１７Ａ，１７Ｂの全体の重量を従来よりも軽くすることができるから、電子機器１を取り付けるための作業性を向上させることができる。また、取付金具１７Ａ，１７Ｂをリアーケース２の背面板９の四隅に部分的に取り付けるようにしたことにより、アンテナ１４によって電波の授受を行うときに、金属製の取付金具１７Ａ，１７Ｂによる電波障害を最小限とすることができるとともに、カバー１５をプラスチックによって形成したことにより、カバーによる電波障害を低減することができる。
【図面の簡単な説明】
【００２１】
【図１】本発明に係る筺体の取付構造において、筺体を壁に取り付けた状態を示す正面図である。
【図２】本発明に係る筺体の取付構造において、筺体を壁に取り付けた状態を示す背面図である。
【図３】本発明に係る筺体の取付構造を正面側から視た分解斜視図である。
【図４】本発明に係る筺体の取付構造を背面側から視た分解斜視図である。
【図５】図１におけるV-V 線断面図である。
【符号の説明】
【００２２】
１…電子機器、２…リアーケース、４…鍔、６…背面板、１４…アンテナ、１５…カバー、１５ａ…第１のねじ挿通孔、１６…ねじ、１７Ａ，１７Ｂ…取付金具、１８…取付片、１９…対接片、１９ａ…第２のねじ挿通孔、２２…壁、２３…凹部、２４…ねじ孔。
【図１】
2008251911.tif 000003
【図２】
2008251911.tif 000004
【図３】
2008251911.tif 000005
【図４】
2008251911.tif 000006
【図５】
2008251911.tif 000007